(57)【要約】【課題】タッチパッド上にそれぞれ異なる機能を有する入力領域が設定されている場合に、当該入力領域の境界における誤入力を抑制する情報処理装置を提供する。【解決手段】情報処理装置１は、メイン画面３Ｍ及びサブ画面３Ｓを表示領域上に表示するディスプレイ３と、操作領域上の接触点４０に応じた座標検出信号を出力するタッチパッド４と、メイン画面３Ｍが操作可能な状態である場合、タッチパッド４の操作領域のうち第１入力領域をディスプレイ３のメイン画面３Ｍの操作用とし、接触点４０が第１入力領域を超えた場合であって、接触点４０が第１入力領域外において予め定めた動きをした場合にメイン画面３Ｍを操作可能な状態から解除してサブ画面３Ｓを操作可能な状態に切り替える制御部２とを有する。【選択図】図１
2015118424.tif 000002
【特許請求の範囲】
【請求項１】
第１の画面及び第２の画面を表示領域上に表示するディスプレイと、
操作領域上の接触点に応じた座標検出信号を出力するタッチパッドと、
前記第１の画面が操作可能な状態である場合、前記タッチパッドの前記操作領域のうち第１入力領域を前記ディスプレイの前記第１の画面の操作用とし、接触点が前記第１入力領域を超えた場合であって、接触点が前記第１入力領域外において予め定めた動きをした場合に前記第１の画面を操作可能な状態から解除して前記第２の画面を操作可能な状態に切り替える制御部とを有する情報処理装置。
【請求項２】
前記制御部は、接触点が前記第１入力領域を超えた場合であって、かつ前記第２の画面を操作可能な状態とするための前記タッチパッド上の第２入力領域内において接触点が前記予め定めた動きをした場合に前記第１の画面を操作可能な状態から解除して前記第２の画面を操作可能な状態に切り替える請求項１に記載の情報処理装置。
【請求項３】
前記制御部は、前記タッチパッド上に前記第１入力領域と前記第２入力領域の間に第３入力領域を設け、当該第３入力領域において前記タッチパッドが接触点に応じた座標検出信号を出力した場合であっても、当該座標検出信号を無視する請求項２に記載の情報処理装置。
【請求項４】
前記制御部は、接触点が予め定めた距離以上移動した場合に前記予め定めた動きとして認識する請求項１から３のいずれか１項に記載の情報処理装置。
【請求項５】
前記制御部は、接触点が予め定めた時間以上静止した場合に前記予め定めた動きとして認識する請求項１から３のいずれか１項に記載の情報処理装置。
【請求項６】
前記制御部は、接触点が予め定めた速さ以上で予め定めた方向に移動した場合に前記予め定めた動きとして認識する請求項１から３のいずれか１項に記載の情報処理装置。
【発明の詳細な説明】
【技術分野】
【０００１】
本発明は、情報処理装置に関する。
【背景技術】
【０００２】
従来の技術として、ディスプレイ上に表示される第１表示領域と第２表示領域のいずれが機能選択モードになっているかに応じて、タッチパッド上の第１入力領域と第２入力領域の占める面積の割合を変更する情報処理装置がある（例えば、特許文献１参照）。
【０００３】
この情報処理装置は、それぞれ目的の異なる項目ボタンを有する第１表示領域と第２表示領域を表示するディスプレイと、利用者の指先等が接触した位置に基づき入力信号を出力するタッチパッドとを有し、ディスプレイに表示される第１表示領域と第２表示領域のうち第１表示領域が項目ボタンを選択可能な状態である機能選択状態である場合、第１表示領域上の項目ボタン等を選択するための入力信号を出力するタッチパッド上の仮想的な領域である第１入力領域の面積の割合を大きくし、第１の表示領域の機能選択状態を解除して第２表示領域を機能選択状態とするタッチパッド上の仮想的な領域である第２入力領域の面積の割合を小さくし、同様に、第２表示領域が項目ボタンを選択可能な状態である機能選択状態である場合、第２表示領域上の項目ボタン等を選択するための入力信号を出力するタッチパッド上の第２入力領域の面積の割合を大きくし、第２の表示領域の機能選択状態を解除して第１表示領域を機能選択状態とするタッチパッド上の第１入力領域の面積の割合を小さくする。このように機能選択モードとなっている表示領域に応じて、タッチパッド上の入力領域の占める面積の割合を変更することで、機能選択モードとなっている表示領域を操作するための入力領域の面積を拡げるものである。
【先行技術文献】
【特許文献】
【０００４】
【特許文献１】特開２０１３−１３４５０９号公報
【発明の概要】
【発明が解決しようとする課題】
【０００５】
しかし、特許文献１に示す情報処理装置は、第１表示領域が機能選択状態である場合に第１入力領域の第２入力領域境界付近において利用者が誤って第２入力領域に触れると、第１表示領域について操作中に第２表示領域が機能選択状態になってしまい、また同様に、第２表示領域が機能選択状態である場合に誤って第１入力領域に触れると第２表示領域について操作中に第１表示領域が機能選択状態になってしまうため、第１入力領域と第２入力領域の境界付近で利用者が操作に気を遣う必要があるという問題があった。
【０００６】
従って、本発明の目的は、タッチパッド上にそれぞれ異なる機能を有する入力領域が設定されている場合に、当該入力領域の境界における誤入力を抑制する情報処理装置を提供することにある。
【課題を解決するための手段】
【０００７】
本発明の一態様は、第１の画面及び第２の画面を表示領域上に表示するディスプレイと、
操作領域上の接触点に応じた座標検出信号を出力するタッチパッドと、
前記第１の画面が操作可能な状態である場合、前記タッチパッドの前記操作領域のうち第１入力領域を前記ディスプレイの前記第１の画面の操作用とし、接触点が前記第１入力領域を超えた場合であって、接触点が前記第１入力領域外において予め定めた動きをした場合に前記第１の画面を操作可能な状態から解除して前記第２の画面を操作可能な状態に切り替える制御部とを有する情報処理装置を提供する。
【０００８】
また、上記した情報処理装置の前記制御部は、接触点が前記第１入力領域を超えた場合であって、かつ前記第２の画面を操作可能な状態とするための前記タッチパッド上の第２入力領域内において接触点が前記予め定めた動きをした場合に前記第１の画面を操作可能な状態から解除して前記第２の画面を操作可能な状態に切り替えるものであってもよい。
【０００９】
また、上記した情報処理装置の前記制御部は、前記タッチパッド上に前記第１入力領域と前記第２入力領域の間に第３入力領域を設け、当該第３入力領域において前記タッチパッドが接触点に応じた座標検出信号を出力した場合であっても、当該座標検出信号を無視するものであってもよい。
【００１０】
また、上記した情報処理装置の前記制御部は、接触点が予め定めた距離以上移動した場合に前記予め定めた動きとして認識するものであってもよい。
【００１１】
また、上記した情報処理装置の前記制御部は、接触点が予め定めた時間以上静止した場合に前記予め定めた動きとして認識するものであってもよい。
【００１２】
また、上記した情報処理装置の前記制御部は、接触点が予め定めた速さ以上で予め定めた方向に移動した場合に前記予め定めた動きとして認識するものであってもよい。
【発明の効果】
【００１３】
本発明によれば、タッチパッド上にそれぞれ異なる機能を有する入力領域が設定されている場合に、当該入力領域の境界における誤入力を抑制することができる。
【図面の簡単な説明】
【００１４】
【図１】図１は、第１の実施の形態に係る情報処理装置の構成の一例を示す概略図である。
【図２】図２（ａ）及び（ｂ）は、メイン画面がアクティブである場合の情報処理装置の動作を説明するための概略図である。
【図３】図３（ａ）及び（ｂ）は、サブ画面がアクティブである場合の情報処理装置の動作を説明するための概略図である。
【図４】図４は、第１の実施の形態の情報処理装置の動作例を示すフローチャートである。
【図５】図５（ａ）−（ｃ）は、メイン画面がアクティブである場合の情報処理装置の動作を説明するための概略図である。
【図６】図６（ａ）及び（ｂ）は、サブ画面がアクティブである場合の情報処理装置の動作を説明するための概略図である。
【図７】図７は、第２の実施の形態の情報処理装置の動作例を示すフローチャートである。
【発明を実施するための形態】
【００１５】
［第１の実施の形態］
（情報処理装置の構成）
図１は、第１の実施の形態に係る情報処理装置の構成の一例を示す概略図である。
【００１６】
図１において、全体を示す符号１は、第１の実施の形態における典型的な情報処理装置を模式的に例示している。この情報処理装置１は、特に限定されるものではないが、例えばナビゲーション装置、オーディオ装置や空調装置等の車載機器の作動を制御するために用いられる。
【００１７】
情報処理装置１は、上記した図示しない車載機器に接続されて当該車載機器の作動を制御する制御部２、車載機器の制御画面等を表示する表示手段であるディスプレイ３及び入力信号を出力する入力手段であるタッチパッド４を有する。制御部２はタッチパッド４の入力信号に基づき動作し、またディスプレイ３を表示制御する。
【００１８】
図示例による情報処理装置１は、例えば、ディスプレイ３がダッシュパネル、タッチパッド４がセンターコンソールなどの運転席周辺部に配置される。この情報処理装置１は、利用者の手指５でタッチパッド４をタッチ操作すると、例えばタッチパッド４の表面上の接触点４０の位置がタッチセンサにより検出され、この位置に対応した位置検出信号がディスプレイ３上の項目ボタン３１ｂ−３１ｇ（これらを代表して「項目ボタン３１」という。）を選択決定し、制御部２が選択決定に対応して車載機器を制御する情報処理装置として構成されている。
【００１９】
ディスプレイ３は、複数個の項目ボタン３１ｂ−３１ｇを含む車載機器の制御画面を複数表示するものとし、複数の車載機器の制御画面として、例えば、ナビゲーション装置の制御画面であるメイン画面３Ｍと、空調装置の制御画面であるサブ画面３Ｓとを表示する。
【００２０】
メイン画面３Ｍは、例えば、ナビゲーションルートを表示するための地図表示領域３１ａと、地図を拡大するための項目ボタン３１ｂと、縮小するための項目ボタン３１ｃとを有する。また、サブ画面３Ｓは、空調装置の設定温度を上下するための項目ボタン３１ｄ及び３１ｅと、風量を上下するための項目ボタン３１ｆ及び３１ｇとを有する。
【００２１】
メイン画面３Ｍとサブ画面３Ｓは、いずれかが操作可能な状態（以下、「アクティブ」という。）となっており、制御部２はアクティブである画面に対してタッチパッド４の位置検出信号に基づき項目ボタン３１の選択決定等の動作を行う。
【００２２】
項目ボタン３１を選択するためのメイン画面３Ｍ又はサブ画面３Ｓ上の指示座標と、タッチパッド４の後述する第１入力領域又は第２入力領域上の接触点４０の座標とは一対一に対応しており、絶対座標検出である。なお、ディスプレイ３上の指示位置は、表示されるものであってもよいし、表示されないものであってもよい。
【００２３】
なお、タッチパッド４は、その操作面の外形が矩形のものを示しているが、曲線や直線により任意の外形を選択することができ、操作面を複数に分割したものを用いてもよい。
【００２４】
（第１の実施の形態の動作）
以下に、第１の実施の形態の情報処理装置１の動作を図１−図４を参照しつつ、（１）メイン画面アクティブの場合及び（２）サブ画面アクティブの場合について説明する。
【００２５】
図４は、第１の実施の形態の情報処理装置１の動作例を示すフローチャートである。
【００２６】
まず、制御部２は、ディスプレイ３に表示されるメイン画面３Ｍとサブ画面３Ｓのうちいずれがアクティブか、操作がなされる直前の状態から判断する（Ｓ１）。
【００２７】
最初にメイン画面３Ｍが初期状態においてアクティブである場合について説明する（Ｓ１；Ｙｅｓ）。
【００２８】
（１）メイン画面アクティブの場合
図２（ａ）及び（ｂ）は、メイン画面３Ｍがアクティブである場合の情報処理装置１の動作を説明するための概略図である。なお、アクティブである画面を斜線で表現している。
【００２９】
メイン画面３Ｍがアクティブである場合、図２（ａ）に示すように、タッチパッド４の左上を座標の原点、右方向にＸ軸、下方向にＹ軸をとった場合に、Ｘ≦ＸＴＨＭをメイン画面３Ｍを操作するための第１入力領域Ａ１Ｍ、Ｘ＞ＸＴＨＭをメイン画面３Ｍのアクティブを解除してサブ画面３Ｓをアクティブにするための第２入力領域Ａ２Ｍとして、制御部２がタッチパッド４の位置検出信号を受信する。
【００３０】
上記した条件において、利用者の手指５はメイン画面３Ｍを操作したい場合は第１入力領域Ａ１Ｍに接触する。
【００３１】
制御部２は、タッチパッド４が出力する入力信号から接触点４０の座標を取得して、手指５が接触する接触点４０が第１入力領域Ａ１Ｍにある場合は（Ｘ≦ＸＴＨＭ、Ｓ２；Ｎｏ）、メイン画面３Ｍを操作するための座標入力の操作が行われたと認識する（Ｓ５）。
【００３２】
しかし、利用者はメイン画面３Ｍの項目ボタン３１ｂや３１ｃのように画面の端に位置する操作対象を操作する際に手指５が閾値ＸＴＨＭを超えて接触点４０１に接触して誤入力してしまうことがある。まず、図２（ａ）に示すように、利用者が閾値ＸＴＨＭを超えたことにすぐに気づき、手指５を第１入力領域Ａ１Ｍ中の接触点４０２に戻した場合について説明する。
【００３３】
制御部２は、手指５が閾値ＸＴＨＭを超えた接触点４０１に接触した場合（Ｘ＞ＸＴＨＭ、Ｓ２；Ｙｅｓ）であって、次に接触点４０２のように第１入力領域Ａ１Ｍに戻り、閾値ＸＴＨＭを超えたままなぞり操作の距離ｄが予め定めた距離ｄＭを超えなかった場合は（ｄ＜ｄＭ、Ｓ３；Ｎｏ）、メイン画面３Ｍのアクティブを解除せず、メイン画面３Ｍを操作するための座標入力の操作が行われたと認識する（Ｓ５）。
【００３４】
次に、図２（ｂ）に示すように、利用者が意図的に第２入力領域Ａ２Ｍに触れてサブ画面３Ｓをアクティブにする場合について説明する。
【００３５】
制御部２は、手指５が閾値ＸＴＨＭを超えた接触点４０３に接触した場合（Ｘ＞ＸＴＨＭ、Ｓ２；Ｙｅｓ）であって、次に接触点４０４のように第２入力領域Ａ２Ｍ中において接触点４０３から予め定めた距離ｄＭを超えて距離ｄだけなぞり操作した場合は（ｄ≧ｄＭ、Ｓ３；Ｙｅｓ）、メイン画面３Ｍのアクティブを解除し、サブ画面３Ｓをアクティブに切り替える（Ｓ４）。
【００３６】
（２）サブ画面アクティブの場合
次にサブ画面３Ｓが初期状態においてアクティブである場合について説明する（Ｓ１；Ｎｏ）。
【００３７】
図３（ａ）及び（ｂ）は、サブ画面３Ｓがアクティブである場合の情報処理装置１の動作を説明するための概略図である。
【００３８】
サブ画面３Ｓがアクティブである場合、図３（ａ）に示すように、タッチパッド４の左上を座標の原点とした場合に、Ｘ≧ＸＴＨＳをサブ画面３Ｓを操作するための第２入力領域Ａ２Ｓ、Ｘ＜ＸＴＨＳをサブ画面３Ｓのアクティブを解除してメイン画面３Ｍをアクティブにするための第１入力領域Ａ１Ｓとして、制御部２がタッチパッド４の位置検出信号を受信する。
【００３９】
上記した条件において、利用者の手指５はサブ画面３Ｓを操作したい場合は第２入力領域Ａ２Ｓに接触する。
【００４０】
制御部２は、タッチパッド４が出力する入力信号から接触点４０の座標を取得して、手指５が接触する接触点４０が第２入力領域Ａ２Ｓにある場合は（Ｘ≧ＸＴＨＳ、Ｓ６；Ｎｏ）、サブ画面３Ｓを操作するための座標入力の操作が行われたと認識する（Ｓ９）。
【００４１】
しかし、利用者はサブ画面３Ｓの項目ボタン３１ｄ−３１ｇを操作する際に手指５が閾値ＸＴＨＳをＸ軸のマイナス方向に超えて接触点４０５に接触して誤入力してしまうことがある。まず、図３（ａ）に示すように、利用者が閾値ＸＴＨＳをＸ軸のマイナス方向に超えたことにすぐに気づき、手指５を第２入力領域Ａ２Ｓ中の接触点４０６に戻した場合について説明する。
【００４２】
制御部２は、手指５が閾値ＸＴＨＳをＸ軸マイナス方向に超えた接触点４０５に接触した場合（Ｘ＜ＸＴＨＳ、Ｓ６；Ｙｅｓ）であって、次に接触点４０６のように第２入力領域Ａ２Ｓに戻り、閾値ＸＴＨＳをＸ軸マイナス方向に超えたまま予め定めた距離ｄＳを超えなかった場合は（ｄ＜ｄＳ、Ｓ７；Ｎｏ）、サブ画面３Ｓのアクティブを解除せず、サブ画面３Ｓを操作するための座標入力の操作が行われたと認識する（Ｓ９）。
【００４３】
次に、図３（ｂ）に示すように、利用者が意図的に第１入力領域Ａ１Ｓに触れてメイン画面３Ｍをアクティブにする場合について説明する。
【００４４】
制御部２は、手指５が閾値ＸＴＨＳをＸ軸のマイナス方向に超えた接触点４０７に接触した場合（Ｘ＜ＸＴＨＳ、Ｓ６；Ｙｅｓ）であって、次に接触点４０８のように第２入力領域Ａ２Ｓ中において接触点４０７から予め定めた距離ｄＳを超えて距離ｄだけなぞり操作した場合は（ｄ≧ｄＳ、Ｓ７；Ｙｅｓ）、サブ画面３Ｓのアクティブを解除し、メイン画面３Ｍをアクティブに切り替える（Ｓ８）。
【００４５】
（第１の実施の形態の効果）
上記した第１の実施の形態によると、メイン画面３Ｍがアクティブの場合、第１入力領域を超えて第２入力領域に誤入力した場合であっても、予め定めた距離以上の操作がなければメイン画面３Ｍのアクティブを解除してサブ画面３Ｓをアクティブにしないため、第１入力領域と第２入力領域との境界における誤入力を抑制することができる。
【００４６】
なお、予め定めた距離ｄＭ又はｄＳを超えた場合にサブ画面又はメイン画面をアクティブに切り替えたが、第２入力領域又は第１入力領域において予め定めた時間以上接触点を動かさずに静止させた場合に切り替えてもよい。また、第２入力領域から右側へ又は第１入力領域から左側へ予め定めた速さ以上でなぞり操作（フリック操作）がなされた場合にサブ画面又はメイン画面をアクティブに切り替えてもよい。
【００４７】
［第２の実施の形態］
第２の実施の形態は、第１の実施の形態と比較して第１入力領域と第２入力領域との間の閾値を複数設け、第３入力領域を設けた点で異なる。
【００４８】
（第２の実施の形態の動作）
以下に、第２の実施の形態の情報処理装置１の動作を図５、図６を参照しつつ、（１）メイン画面アクティブの場合及び（２）サブ画面アクティブの場合について説明する。
【００４９】
図７は、第２の実施の形態の情報処理装置１の動作例を示すフローチャートである。
【００５０】
まず、制御部２は、ディスプレイ３に表示されるメイン画面３Ｍとサブ画面３Ｓのうちいずれがアクティブか操作がなされる直前の状態から判断する（Ｓ１０）。
【００５１】
最初にメイン画面３Ｍが初期状態においてアクティブである場合について説明する（Ｓ１０；Ｙｅｓ）。
【００５２】
（１）メイン画面アクティブの場合
図５（ａ）−（ｃ）は、メイン画面３Ｍがアクティブである場合の情報処理装置１の動作を説明するための概略図である。なお、アクティブである画面を斜線で表現している。
【００５３】
メイン画面３Ｍがアクティブである場合、図５（ａ）に示すように、タッチパッド４の左上を座標の原点、右方向にＸ軸、下方向にＹ軸をとった場合に、Ｘ≦ＸＴＨＭ１をメイン画面３Ｍを操作するための第１入力領域Ａ１Ｍ、Ｘ＞ＸＴＨＭ２をメイン画面３Ｍのアクティブを解除してサブ画面３Ｓをアクティブにするための第２入力領域Ａ２Ｍとして、制御部２がタッチパッド４の位置検出信号を受信する。また、ＸＴＨＭ１＜Ｘ≦ＸＴＨＭ２をタッチパッド４が出力する位置検出信号を制御部２が無視する第３入力領域Ａ３Ｍとする。
【００５４】
上記した条件において、利用者の手指５はメイン画面３Ｍを操作したい場合は第１入力領域Ａ１Ｍに接触する。
【００５５】
制御部２は、タッチパッド４が出力する入力信号から接触点４０の座標を取得して、手指５が接触する接触点４０が第１入力領域Ａ１Ｍにある場合であって（Ｘ≦ＸＴＨＭ１、Ｓ１１；Ｎｏ）、メイン画面３Ｍを操作するための座標入力の操作が行われたと認識する（Ｓ１５）。
【００５６】
しかし、利用者はメイン画面３Ｍの項目ボタン３１ｂや３１ｃのように画面の端に位置する操作対象を操作する際に手指５が閾値ＸＴＨＭ１を超えて接触点４０９に接触して誤入力してしまうことがある。まず、図５（ａ）に示すように、利用者が閾値ＸＴＨＭ１を超えたことにすぐに気づき、手指５を第１入力領域Ａ１Ｍ中の接触点４０１０に戻した場合について説明する。
【００５７】
制御部２は、手指５が閾値ＸＴＨＭ１を超えた接触点４０９に接触した場合（Ｘ＞ＸＴＨＭ１、Ｓ１１；Ｙｅｓ）であって、次に接触点４０１０のように第１入力領域Ａ１Ｍに戻り、閾値ＸＴＨＭ２を超えていない場合は（Ｘ≦ＸＴＨＭ２Ｓ１２；Ｎｏ）、メイン画面３Ｍのアクティブを解除せず、第３入力領域Ａ３Ｍ中ではメイン画面３Ｍを操作するための座標入力の操作も行われていないと認識する。
【００５８】
また、図５（ｂ）に示すように、手指５が閾値ＸＴＨＭ１を超えて接触点４０１１に接触して距離ｄのなぞり操作による誤入力を予め定めた距離ｄＭ以上続けたが、閾値ＸＴＨＭ２は超えていない場合について説明する。
【００５９】
制御部２は、手指５が閾値ＸＴＨＭ１を超えた接触点４０１１に接触した場合（Ｘ＞ＸＴＨＭ１、Ｓ１１；Ｙｅｓ）であって、閾値ＸＴＨＭ１を超えたままであるが閾値ＸＴＨＭ２を超えていない場合（Ｘ≦ＸＴＨＭ２、Ｓ１２；Ｎｏ）、メイン画面３Ｍのアクティブを解除せず、メイン画面３Ｍを操作するための座標入力の操作も行われていないと認識する。
【００６０】
次に、図５（ｃ）に示すように、利用者が意図的に第２入力領域Ａ２Ｍに触れてサブ画面３Ｓをアクティブにする場合について説明する。
【００６１】
制御部２は、手指５が閾値ＸＴＨＭ２を超えた接触点４０１３に接触した場合（Ｘ＞ＸＴＨＭ２、Ｓ１２；Ｙｅｓ）であって、次に接触点４０１４のように第２入力領域Ａ２Ｍ中において接触点４０１３から予め定めた距離ｄＭを超えて距離ｄだけなぞり操作した場合は（ｄ＞ｄＭ、Ｓ１３；Ｙｅｓ）、メイン画面３Ｍのアクティブを解除し、サブ画面３Ｓをアクティブに切り替える（Ｓ１４）。
【００６２】
（２）サブ画面アクティブの場合
次にサブ画面３Ｓがアクティブである場合について説明する（Ｓ１０；Ｎｏ）。
【００６３】
図６（ａ）及び（ｂ）は、サブ画面３Ｓがアクティブである場合の情報処理装置１の動作を説明するための概略図である。
【００６４】
サブ画面３Ｓがアクティブである場合、図６（ａ）に示すように、タッチパッド４の左上を座標の原点とした場合に、Ｘ≧ＸＴＨＳ１をサブ画面３Ｓを操作するための第２入力領域Ａ２Ｓ、Ｘ＜ＸＴＨＳ２をサブ画面３Ｓのアクティブを解除してメイン画面３Ｍをアクティブにするための第１入力領域Ａ１Ｓとして、制御部２がタッチパッド４の位置検出信号を受信する。また、ＸＴＨＳ２≦Ｘ＜ＸＴＨＳ１をタッチパッド４が出力する入力信号を無視する第３入力領域Ａ３Ｓとする。
【００６５】
上記した条件において、利用者の手指５はサブ画面３Ｓを操作したい場合は第２入力領域Ａ２Ｓに接触する。
【００６６】
制御部２は、タッチパッド４が出力する入力信号から接触点４０の座標を取得して、手指５が接触する接触点４０が第２入力領域Ａ２Ｓにある場合は（Ｘ≧ＸＴＨＳ１、Ｓ１６；Ｎｏ）、サブ画面３Ｓを操作するための座標入力の操作が行われたと認識する（Ｓ２０）。
【００６７】
しかし、利用者はサブ画面３Ｓの項目ボタン３１ｄ−３１ｇを操作する際に手指５が閾値ＸＴＨＳ１をＸ軸のマイナス方向に超えて接触点４０１５に接触して誤入力してしまうことがある。まず、図６（ａ）に示すように、利用者が閾値ＸＴＨＳをＸ軸のマイナス方向超えたことにすぐに気づき、手指５を第２入力領域Ａ２Ｓ中の接触点４０１６に戻した場合について説明する。
【００６８】
制御部２は、手指５が閾値ＸＴＨＳ１をＸ軸マイナス方向に超えた接触点４０１５に接触した場合（Ｘ＜ＸＴＨＳ１、Ｓ１６；Ｙｅｓ）であって、次に接触点４０１６のように第２入力領域Ａ２Ｓに戻り、閾値ＸＴＨＳ２をＸ軸マイナス方向に超えていない場合は（Ｘ≧ＸＴＨＳ２、Ｓ１７；Ｎｏ）、メイン画面３Ｍのアクティブを解除せず、メイン画面３Ｍを操作するための座標入力の操作も行われていないと認識する。
【００６９】
また、図６（ｂ）に示すように、手指５が閾値ＸＴＨＳ１を超えて接触点４０１７に接触して距離ｄＳ以上の誤入力を続けたが、閾値ＸＴＨＳ２はＸ軸マイナス方向に超えていない場合について説明する。
【００７０】
制御部２は、手指５が閾値ＸＴＨＳ１を超えた接触点４０１７に接触した場合（Ｘ＜ＸＴＨＳ１、Ｓ１６；Ｙｅｓ）であって、閾値ＸＴＨＳ１を超えたままであるが閾値ＸＴＨＳ２を超えていない場合（Ｘ≧ＸＴＨＳ２、Ｓ１７；Ｎｏ）、サブ画面３Ｓのアクティブを解除せず、サブ画面３Ｓを操作するための座標入力の操作も行われていないと認識する。
【００７１】
次に、図６（ｃ）に示すように、利用者が意図的に第１入力領域Ａ１Ｓに触れてメイン画面３Ｍをアクティブにする場合について説明する。
【００７２】
制御部２は、手指５が閾値ＸＴＨＳ２をＸ軸のマイナス方向に超えた接触点４０１９に接触した場合（Ｘ＜ＸＴＨＳ２、Ｓ１７；Ｙｅｓ）であって、次に接触点４０２０のように第２入力領域Ａ２Ｓ中において接触点４０１９から予め定めた距離ｄＳを超えて距離ｄだけなぞり操作した場合は（ｄ≧ｄＳ、Ｓ１８；Ｙｅｓ）、サブ画面３Ｓのアクティブを解除し、メイン画面３Ｍをアクティブに切り替える（Ｓ１９）。
【００７３】
（第２の実施の形態の効果）
上記した第２の実施の形態によると、メイン画面３Ｍがアクティブの場合、第１入力領域を超えて誤入力した場合であっても、第３入力領域における操作は無視し、第２入力領域において予め定めた距離以上の操作がなければメイン画面３Ｍのアクティブを解除してサブ画面３Ｓをアクティブにしないため、メイン画面３Ｍの操作とサブ画面３Ｓをアクティブにするための操作を第１の実施の形態に比べて空間的に区別することができ、第１の実施の形態に比べて第１入力領域と第２入力領域との境界における誤入力をさらに抑制することができる。
【００７４】
［変形例］
以上より、本発明における情報処理装置１の代表的な構成例を上記各実施の形態及び図示例を挙げて説明したが、次に示すような変形例も可能である。
【００７５】
（１）上記情報処理装置１は、車載機器に限らず、各種の電子・電気機器に適用することができる。
（２）上記情報処理装置１は、例えば使用目的などに応じて配置個数、配置位置や配置形態などを適宜に選択すればよい。
【００７６】
なお、本発明は、上記した実施の形態に限定されず、本発明の技術思想を逸脱あるいは調整しない範囲内で種々の変形が可能である。
【符号の説明】
【００７７】
１     情報処理装置
２     制御部
３     ディスプレイ
３Ｍ   メイン画面
３Ｓ   サブ画面
４     タッチパッド
５     手指
３１   項目ボタン
３１ａ 地図表示領域
３１ｂ−３１ｇ       項目ボタン
４０   接触点
４０１−４０２０     接触点
Ａ１Ｍ 第１入力領域
Ａ１Ｓ 第２入力領域
Ａ２Ｍ 第１入力領域
Ａ２Ｓ 第２入力領域
Ａ３Ｍ 第３入力領域
Ａ３Ｓ 第３入力領域
ｄＭ   距離
ｄＳ   距離
ＸＴＨＭ      閾値
ＸＴＨＭ１    閾値
ＸＴＨＭ２    閾値
ＸＴＨＳ      閾値
ＸＴＨＳ１    閾値
ＸＴＨＳ２    閾値
【図１】
2015118424.tif 000003
【図２】
2015118424.tif 000004
【図３】
2015118424.tif 000005
【図４】
2015118424.tif 000006
【図５】
2015118424.tif 000007
【図６】
2015118424.tif 000008
【図７】
2015118424.tif 000009